(57)【要約】【課題】電源を持たない簡単な構成の物品保管装置、物品保管装置の貨幣収容部、及び物品保管システムにおいて、貨幣の不正な抜き取りを防止し、コインロッカーの貨幣収容部へ異物が混入した場合であっても、貨幣の回収をスムーズに行うこと、貨幣収容部に偏って貨幣が収容されずに高精度に計量すること。【解決手段】物品の保管料金である貨幣を収容する物品保管装置で用いられる貨幣収容部であって、貨幣収容部は、上方に略矩形状の開口部を備えた、貨幣を受容する箱体であり、略矩形状の開口部内側の何れか一方側端部に傾斜面を有する。また、傾斜面は、物品の保管料金である貨幣を投入する投入口側に設けられていることが好ましい。また、貨幣収容部の箱体の後方側に計量部を有し、箱体の前方側に外部装置とデータ通信を行うための制御部等の電子回路を有し、計量部と電子回路との間の略中央に貨幣を収容するトレイ本体を有する。【選択図】図５
2017199274.tif 000002
【特許請求の範囲】
【請求項１】
物品の保管料金である貨幣を収容する物品保管装置で用いられる貨幣収容部であって、
前記貨幣収容部は、上方に略矩形状の開口部を備えた、前記貨幣を受容する箱体であり、前記略矩形状の開口部内側の何れか一方側端部に傾斜面を有する
ことを特徴とする物品保管装置に用いられる貨幣収容部。
【請求項２】
前記傾斜面は、前記物品の保管料金である貨幣を投入する投入口側に設けられていることを特徴とする請求項１に記載の物品保管装置に用いられる貨幣収容部。
【請求項３】
前記箱体の後方側に計量部を有し、前記箱体の前方側に外部装置とデータ通信を行うための制御部等の電子回路を有し、前記計量部と前記電子回路との間の略中央に前記貨幣を収容するトレイ本体を有することを特徴とする請求項１または請求項２に記載の物品保管装置に用いられる貨幣収容部。
【請求項４】
前記トレイ本体は、面状の板材に前記貨幣の寸法よりも小さい孔を有することを特徴とする請求項３に記載の物品保管装置に用いられる貨幣収容部。
【請求項５】
前記請求項３または請求項４に記載の貨幣収容部を備えた物品保管装置であって、
前記箱体の前方側に設けられた前記電子回路を介して外部装置と通信を行う通信部を備え、
前記通信部は、前記計量部により計量された、前記貨幣収容部に収容された貨幣の質量情報を外部装置へ送信することを特徴とする物品保管装置。
【請求項６】
請求項５に記載の物品保管装置と、前記物品保管装置と通信路を介して接続される外部装置と、を有する物品保管システムであって、
前記外部装置は、前記物品保管装置の通信部から送信された貨幣の質量情報を受信する受信手段と、
前記受信手段で受信した貨幣の質量情報と貨幣の単位重量情報に基づいて、前記貨幣収容部に収容された貨幣の枚数を算出する算出手段と、
前記算出手段により算出された貨幣の枚数を表示する表示手段と、を有する
ことを特徴とする物品保管システム。
【請求項７】
外部装置は、前記物品保管装置が備える貨幣収容部より回収した貨幣の実枚数を入力する入力手段と、
前記受信した貨幣の枚数と前記入力手段で入力された実枚数とを前記物品保管装置毎に記憶する記憶手段と、
前記記憶手段により記憶されている前記受信した貨幣の枚数と、前記入力された貨幣の枚数とに差があるか否かを目視容易に表示する表示手段と、
を有することを特徴とする請求項６に記載の物品保管システム。
【請求項８】
前記外部装置の記憶手段は、前記物品保管装置毎に、貨幣収容部が収容する貨幣の許容データ又は基準データと回収期間とを更に記憶し、
前記外部装置は、前記記憶手段により記憶された、過去の前記物品保管装置毎の回収した貨幣の枚数と、前記物品保管装置毎の貨幣収容手段により収容される貨幣の許容データ又は基準データと、回収期間とに基づいて、前記物品保管装置毎の貨幣収容手段により収容された貨幣の回収を報知する報知手段を有する
ことを特徴とする請求項６又は請求項７に記載の物品保管システム。
【発明の詳細な説明】
【技術分野】
【０００１】
本発明は、物品保管装置、物品保管装置の貨幣収容部、及び物品保管システムに関する。
【背景技術】
【０００２】
従来、投入された硬貨（コイン）等の貨幣を収容し保管する貨幣収容部を有するコインロッカーが知られている。
また、従来の電源装置を備えないコインロッカーは、投入された硬貨数などを電子データとして記録することができない。このため、貨幣の回収作業は、貨幣収容部（回収トレイ）を開錠して貨幣を集める担当者の責任に委ねられている。しかしながら、貨幣の回収時に不正な貨幣の抜き取りが行われる可能性があった。
【０００３】
また、従来のコインロッカーでは、貨幣を回収する前にコインロッカー内に収納されている貨幣がどのくらい収納されているか正確に分からず、貨幣を回収して計量する時に、回収された硬貨の回収枚数を正しいとみなして管理してきたため、税務、会計上、不透明な状態であった。
【０００４】
特許文献１には、電源装置をもたないコインロッカーに用いられるコイン回収トレイが記載されている。このコイン回収トレイは、コインロッカーの最下部に引出可能に配され、物理キーを介して施開錠を行うロック装置と、トレイ本体部の重量を計測する計測センサ装置、計量センサ装置の計量データを外部装置に対して送出するデータ送出部と、外部から一時的に電源を供給する供給端子とを有し、ソレノイド装置は、データ用端子を介して外部装置に対して計測データの送出があったときに、ロック片の開錠動作の禁止を解除する。
【先行技術文献】
【特許文献】
【０００５】
【特許文献１】実開平０１―１２０２８７号公報
【発明の概要】
【発明が解決しようとする課題】
【０００６】
しかしながら、特許文献１等に記載のコインロッカーでは、投入口と貨幣収容部とが連通しているため、硬貨以外のゴミ等が投入口から貨幣収容部内へ混入する可能性がある。混入する異物によっては、コインロッカー本体部から貨幣収容部を引き出せない可能性がある。
【０００７】
また、貨幣収容部に多量の硬貨などの貨幣が収容された場合、その重さのため、貨幣収容部を引き出しにくく、貨幣を回収しにくい。このため、貨幣収容部そのものを軽量化することが望まれている。
また、貨幣収容部に偏って貨幣が収容された場合、高精度に計量できない虞れがある。
【０００８】
また、従来、コインロッカーで収容されている貨幣の回収時期は、貨幣を集める担当者の経験や勘に頼っていた。例えば、短期間に集中してコインロッカーの利用回数が増え、回収前に、貨幣収容部に許容量以上の貨幣が収容された場合、貨幣収容部をロッカー本体部から引き出せず、貨幣の回収作業がスムーズに行えない可能性がある。
【課題を解決するための手段】
【０００９】
本発明の物品保管装置で用いられる貨幣収容部は、以下の構成を少なくとも具備するものである。
物品の保管料金である貨幣を収容する物品保管装置で用いられる貨幣収容部であって、
前記貨幣収容部は、上方に略矩形状の開口部を備えた、前記貨幣を受容する箱体であり、前記略矩形状の開口部内側の何れか一方側端部に傾斜面を有することを特徴とする。
【００１０】
本発明の物品保管装置は、以下の構成を少なくとも具備するものである。
貨幣収容部を備え、物品の保管料金である貨幣を収容する物品保管装置であって、
前記貨幣収容部は、前記貨幣収容部は、上方に略矩形状の開口部を備えた、前記貨幣を受容する箱体であり、前記略矩形状の開口部内側の何れか一方側端部に傾斜面を有し、前記箱体の後方側に計量部を有し、前記箱体の前方側に外部装置とデータ通信を行うための制御部等の電子回路を有し、前記計量部と前記電子回路との間の略中央に前記貨幣を収容するトレイ本体を有し、
前記物品保管装置は、前記箱体の前方側に設けられた前記電子回路を介して外部装置と通信を行う通信部を備え、
前記通信部は、前記計量部により計量された、前記貨幣収容部に収容された貨幣の質量情報を外部装置へ送信することを特徴とする。
【００１１】
また、本発明の物品保管システムは、以下の構成を少なくとも具備するものである。
上記本発明の物品保管装置と、前記物品保管装置と通信路を介して接続される外部装置と、を有する物品保管システムであって、
前記外部装置は、前記物品保管装置の通信部から送信された貨幣の質量情報を受信する受信手段と、
前記受信手段で受信した貨幣の質量情報と貨幣の単位重量情報に基づいて、前記貨幣収容部に収容された貨幣の枚数を算出する算出手段と、
前記算出手段により算出された貨幣の枚数を表示する表示手段と、を有することを特徴とする。
【発明の効果】
【００１２】
本発明によれば、貨幣の不正な抜き取りを防止し、貨幣の回収をスムーズに行うことができる、電源をもたない簡単な構成の物品保管装置を提供することができる。また、本発明によれば、貨幣収容部に偏って貨幣が収容されずに、高精度に計量することができる。その物品保管装置の貨幣収容部を提供することができる。また、その物品保管装置、及び外部装置を備えた物品保管システムを提供することができる。
また、本発明によれば、貨幣収容部へ異物が混入した場合であっても、貨幣の回収をスムーズに行うことができる。
また、貨幣を集める担当者の経験などに頼ることなく、貨幣の回収時期などを決定することができる物品保管システムを提供することができる。
【図面の簡単な説明】
【００１３】
【図１】本発明の実施形態に係る物品保管装置としてのコインロッカーの一例を示す全体図。
【図２】物品保管システムの全体構成の一例を示す図。
【図３】物品保管装置の機能ブロックの一例を示す図。
【図４】物品保管装置のロック装置を例示する図。
【図５】物品保管装置のコイン回収トレイ（収容部）の一例を示す図、（ａ）は後方斜視図、（ｂ）は斜視図。
【図６】物品保管装置のコイン回収トレイ（収容部）の上面図。
【図７】物品保管装置のコイン回収トレイ（収容部）の断面図。
【図８】外部装置としての中継装置の一例を示す機能ブロック図。
【図９】外部装置としての中継装置の一例を示す斜視図。
【図１０】外部装置の画面遷移の一例を示す図。
【図１１】外部装置で管理されている物品保管装置毎の貨幣の回収状況の一例を示す図。
【図１２】物品保管システムの動作の一例を示すフローチャート。
【発明を実施するための形態】
【００１４】
本発明の実施形態に係る物品保管装置は、物品の保管料金である貨幣を収容する。この物品保管装置は、例えば、電源をもたない簡単な構成のコインロッカーなどに採用することができる。物品保管装置は、投入口より投入された貨幣に応じて収納部に収納された物品を所定の期間保管する。また、物品保管装置は、投入口より投入された貨幣を載置収容する収容部、および投入口より投入され収容部に収容された貨幣を計量する計量部を備えた貨幣収容手段（貨幣収容部）と、計量部により計量された貨幣の質量情報を外部装置へ送信する通信手段などを有する。
【００１５】
以下、本発明の実施形態に係る物品保管装置、その物品保管装置の貨幣収容部、及び物品保管システムを、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１６】
図１に示したように、本発明の実施形態に係る物品保管装置１０としてのコインロッカーは、本体部に設けられた物品を収容可能な複数の収納部５、各収納部５に設けられた開閉扉２、開閉扉用キーを挿入可能な鍵穴２０１、硬貨（コイン）などの貨幣を投入可能な投入口（コイン投入部１）、本体部の下部に設けられたコイン回収トレイ３（貨幣収納部）を有する。本実施形態では、物品保管装置１０は電源装置をもたない。
【００１７】
また、本実施形態では、収納部５の縦の列毎に、その最下部にコイン回収トレイ３が設けられている。コイン投入部１とコイン回収トレイ３は、連通路２０２を介して連通した構造となっている。コイン回収トレイ３の前面には、回収トレイ用キを挿入可能な施錠開錠用の鍵穴４が設けられている。
【００１８】
図２に示したように、本発明の実施形態に係る物品保管システムは、１つ又は複数のコインロッカーなどの物品保管装置１０、物品保管装置１０と通信路９０を介して接続される外部装置６０などを有する。
外部装置６０は、中継装置６００、管理装置６１０、回収業者などにより携帯される携帯型通信端末装置６２０などを有する。
【００１９】
中継装置６００は、回収業者などにより携帯可能な端末装置であり、貨幣回収時に、物品保管装置１０と通信路９１（通信路９０）などを介して通信可能に接続される。管理装置６１０は、通信ネットワークなどの通信路９０介して、中継装置６００、携帯型通信端末装置６２０などに通信可能に接続されている。
【００２０】
外部装置６０としての管理装置６１０は、各物品保管装置１０に収容されている貨幣の質量情報や、回収された貨幣に関する情報などを管理する。詳細には、管理装置６１０は、物品保管装置１０の設置場所や回収日時毎に、各物品保管装置１０に収容されている貨幣の質量情報や、回収された貨幣に関する情報などを集計し、貨幣を回収する物品端末装置の担当者により使用される、携帯型通信端末装置６２０などに、回収指示などの物品保管装置１０に関する情報を送信する。
尚、外部装置６０である中継装置６００、管理装置６１０などについて詳細に後述する。
【００２１】
図３に示したように、物品保管装置１０のコイン回収トレイ３（貨幣収納部）は、鍵穴４に差し込んだ物理キーを介して施開錠するロック装置１１と、回収コインなどの貨幣を集積するためのトレイ本体２０と、このトレイ本体２０の質量を計測する計量センサ装置３０と、などを有する。
【００２２】
物品保管装置１０のコイン回収トレイ３（貨幣回収部）は、ロック装置１１を構成するロック片１４が施錠状態になった場合に、その開錠動作を禁止するソレノイド装置１５と、計量センサ装置３０の計測データを外部装置６０に対して送出する第１の通信手段としてのデータ送出部３５（通信部）と、などを有する。
ソレノイド装置１５は、データ用端子４４を介して外部装置６０に対して計測データの送出があったときに、ロック片１４の開錠動作の禁止を解除する。
【００２３】
また、コイン回収トレイ３は、給電端子４１と、データ用端子４４と、などを有する。給電端子４１は、データ送出部３５、ソレノイド装置１５、計量センサ装置３０に対して外部から一時的に電源を供給する端子である。データ用端子４４は、データ送出部３５から外部装置６０に対して計測データを送出する端子である。
【００２４】
図４に示すように、コイン回収トレイを施開錠するロック装置１１は、例えば、物理キーを差し込んで回動させるキーシリンダー１３、キーシリンダー１３を介して作動するロック片１４などを有する。ロック装置１１は、ロック片１４がコインロッカーの箱受Ｑ（ストライクボックス）に入った場合に、ソレノイド装置１５によりロック片１４の開錠動作を禁止するように構成されている。
【００２５】
例えば、ロック片１４が上下方向に移動可能な構成の場合、ソレノイド装置１５の進退ピン１５−１は、単純にロック片１４の上方近傍に位置させて上方への動きを拘束するように構成する。また、例えば、ロック片１４が進退動するタイプ（デッドボルトタイプ）である場合、ソレノイド装置１５の進退ピン１５−１を、例えば、ロック片１４に設けた凹溝または孔（図示せず）に嵌入させて、ロック片１４の後退動を拘束する構成であってもよい。
【００２６】
図５、図６、図７に示すように、コイン回収トレイ３（収容部）は、本体ケースＫの中にトレイ本体２０を有する。トレイ本体２０は、その上面が開放された箱形に形成されている。
【００２７】
詳細には、図７に示したように、コイン回収トレイ３は、本体ケースＫ内の前側に配置された鍵穴４やキーシリンダー１３などと、本体ケースＫ内の後側に配置された計量センサ装置３０と、略中央部に配置されたトレイ本体２０と、本体ケースＫの中央よりも前側の位置に配置された仕切板部Ｋａと、を有する。仕切板部Ｋａよりも前側（前方側）には、データ送信部（通信部）や制御部などの電子回路（電気回路）などが配置されている（不図示）。
例えば、トレイ本体２０の前側端部に、仕切板部Ｋａの上部に係合する係合部２１が設けられ、後側端部に平坦部２４が設けられ、平坦部２４がロードセルなどの計量センサ装置３０の上部で支持されている。詳細には、トレイ本体２０において、トレイの底部２５ａが本体ケースＫの底部から僅かに離隔するように配置されている。
【００２８】
また、トレイ本体２０（収容部２５）の底部２５ａには、面状の板材に貨幣の寸法よりも小さい複数の孔２５ｈを有する。つまり、貨幣収容手段（貨幣収容部２５０）の貨幣を載置収容する底部２５ａには、面状の部材に貨幣の寸法よりも小さい複数の孔２５ｈが形成されている。ゴミ等が貨幣収容部２５０に混入した場合であっても、ゴミ等が孔２５ｈから下方に排出される。ゴミ等の原因による、コイン回収トレイをコインロッカー本体部から引き出せない可能性を低減することができる。
【００２９】
トレイ本体２０の質量を計測する計量センサ装置３０は、例えば、ロードセル３０−１を用いることができる（図３参照）。ロードセル３０−１を用いる場合、計量センサ装置３０は、例えば、トレイ本体２０の平坦部２４の下面に当接するように配置される。
【００３０】
トレイ本体２０の一方の端部の係合部２１は本体ケースＫに支持されており、平坦部２４の下部に配置された計量センサ装置３０により、トレイ本体２０に収容された硬貨などの貨幣の質量及びトレイ本体２０の質量が計量される。
【００３１】
ロードセル３０−１は、簡単な構造で安価な装置でありながら、１ｇ以下の重量を高精度で計測することができる。計測データに基づくコイン枚数の換算誤差は殆ど生じない。コイン枚数への換算処理は、外部装置６０側で行ってもよいし、コイン回収トレイ側で行ってもよい。
【００３２】
また、例えば、コインロッカーの正面（前側）からみたときに、手前側となる本体ケースＫの内部には、データ送出部やソレノイド装置等の電子部品類（Ｖ）が配置される。
【００３３】
コイン回収トレイ３は、電子部品類へ電源を供給する給電端子４１と、データ送出部３５から外部装置６０に対して計測データを送出するデータ用端子４４を有する。給電端子４１とデータ用端子４４は別々の端子として設けてもよいし、統合した一個の端子であってもよい。
【００３４】
また、図３に示したように、コイン回収トレイ３は、計量センサ装置３０、データ送出部３５（通信部）、ホスト装置確認部５０、初期化部５２などを有する。
詳細には、図３に示したように、ホスト装置確認部５０は、外部装置６０からの制御信号（コマンド）に基づいて、計量センサ装置３０を駆動させる。計量センサ装置３０としては、例えば、ロードセル３０−１などであり、このロードセル３０−１の歪みゲージの抵抗変化を計量部３０−２が計測して、質量の計測データをデータ送出部３５へ送出する。
【００３５】
データ送出部３５（通信部）は、計量部３０−２から送られた質量の計測データをそのまま外部装置へ送出してもよいし、質量の計測データとともにコイン枚数に換算した金額値データを外部装置６０へ送出してもよい。
【００３６】
初期化部５２は、データ送出部３５がデータ用端子４４を介して外部装置６０へ計測データ（重量データ等）を送出した後、処理済信号を受けて計量部３０−２とソレノイド装置１５を初期化する処理を行う。
【００３７】
初期化部５２からの信号に基づき、計量部３０−２に格納されたデータ値は初期化され、ソレノイド装置１５は進退ピン１５−１（図４参照）を後退させてロック片１４の拘束を解除する。ロック片１４は、開錠禁止の状態が解除されるので、物理キーを開錠しコイン回収トレイを引き出すことが可能となる。
【００３８】
貨幣の回収を終えた後は、再びコイン回収トレイ３をコインロッカー本体部に嵌合させてセットし、物理キーを用いて施錠する。このとき、ソレノイド装置１５の進退ピン１５−１（図４参照）を前進させて、ロック片１４の開錠動作を禁止（拘束）するには、例えば、ソレノイド装置駆動用のスイッチボタンをコイン回収トレイのフェース面に設けておくか、コイン回収トレイを収納する部位の適宜箇所にリミットスイッチ等を設けておく。
また、初期化部５２が作動した後、所定秒数後に進退ピン１５−１をオートマチックに駆動させてもよい。ソレノイド装置１５の進退ピン１５−１（図４参照）を前進させた後、給電端子４１からの電源供給を終える。
【００３９】
電源供給が終わった場合、コイン回収トレイは、物理キーを使った開錠が不能になり、物理キーを保管・管理している担当者といえどもコイン回収トレイを勝手に開け閉めできなくなる。コイン回収トレイの施錠状態を解除するには、給電端子４１から電源を供給するとともに、データ送出部３５が外部装置６０に対してデータ送出を行う必要があるからである。データ送出部３５が外部装置６０に対してデータ送出を行っていない限り、初期化部５２を介したソレノイド装置１５の駆動は行われないため、物理キーだけではロック片１４を開錠動作させることはできない。
【００４０】
このため、コインロッカー自体が電源をもっていない簡単な構成であっても、コインの抜き取りは不能になり、不正行為を確実に防止することができる。
【００４１】
次に、外部装置６０としての中継装置６００（中継器）を詳細に説明する。
図８に示したように、中継装置６００は、通信部６０１（ＩＦ）、入力部６０３、表示部６０４、記憶部６０５、制御部６０６、バッテリ６２、インタフェース６３（ＩＦ）等を有する。
【００４２】
本実施形態では、中継装置６００の一部分に携帯型通信装置６（スマートフォンなど）を採用し、中継装置６００は、携帯型通信装置６を中継装置６００の本体部６１に着脱自在に装着した構造を有する。本体部６１はバッテリ６２、インタフェース６３（ＩＦ）等を有する。携帯型通信装置６は通信部６０１、入力部６０３、表示部６０４、記憶部６０５、制御部６０６等を有する。
【００４３】
図９に示したように、中継装置６００の本体部６１には、コイン回収トレイ接続用ケーブルが装着される端子部６０ｂ、把持部６０ａ、上面側に設けられた携帯型通信装置装着部６０ｃなどが設けられている。携帯型通信装置６の表側には、タッチパネル式又はボタン式の入力部６０３、液晶型表示装置や有機ＥＬ型表示装置などの表示部６０４が設けられている。
【００４４】
中継装置６００の各構成要素について詳細に説明する。
図８に示したように、通信部６０１は、制御部６０６の制御により、無線式又は有線式の通信路を介して管理装置などの外部装置とデータ通信可能に構成されている。
【００４５】
入力部６０３は、タッチパネル式入力装置、ボタン、スイッチなどの操作入力装置であり、操作者の操作に応じた信号を制御部６０６に出力する。
【００４６】
表示部６０４は、液晶表示装置、有機ＥＬ表示装置表などの表示装置であり、制御部６０６の制御により、所定の表示を行う。
【００４７】
記憶部６０５は、ＲＡＭ、ＲＯＭなどにより構成されており、制御プログラムなどを記憶している。また、記憶部６０５は、制御部６０６の作業用メモリとしても機能する。
【００４８】
制御部６０６は、例えば、制御プログラムを実行することにより、中継装置６００の各構成要素を統括的に制御する。
【００４９】
バッテリ６２は、中継装置６００の本体部６１に備えられ、中継装置６００の各構成要素（電子部品類など）に駆動電源を供給する。本実施形態では、中継装置６００の本体部６１と外部電源（不図示）とが電源ケーブルで接続された場合に、バッテリ６２が充電されるように構成されている。また、中継装置６００と物品保管装置のコイン回収トレイとがケーブルなどで接続された場合、バッテリ６２からコイン回収トレイの電子部品類へ電源を供給する。
【００５０】
インタフェース６３（ＩＦ）は、中継装置６００の本体部６１に備えられ、コイン回収トレイの給電端子４１、データ用端子４４と所定のケーブルで接続可能な端子部６０ｂを有する。また、インタフェース６３は、バッテリ６２から端子部６０ｂを介して給電端子４１に電源を供給する。また、インタフェース６３（ＩＦ）は、携帯型通信装置６の通信部６０１とケーブルなどの有線式通信路又は無線式通信路を介して接続可能に構成されている。すなわち、携帯型通信装置６の制御部６０６は、通信部６０１、インタフェース６３、端子部６０ｂを介して、物品保管装置のコイン回収トレイの電子部品類とデータ通信可能に構成されている。
【００５１】
本実施形態では、制御部６０６は、算出部６０７（算出手段）を有する。算出部６０７は、通信部６０１で受信されたコイン回収トレイからの貨幣の質量情報と、予め規定された貨幣の単位重量情報に基づいて貨幣収容手段（コイン回収トレイ）に収容された貨幣の枚数を算出する処理を行う。
制御部６０６は、算出部６０７で算出された貨幣の枚数を表示部６０４に表示させる処理を行う。つまり、表示部６０４は、算出部６０７で算出された貨幣の枚数を表示する。
【００５２】
また、制御部６０６は、例えば、携帯型プリンタ（不図示）と通信可能に構成されており、必要に応じて、コイン回収トレイの貨幣の量などに関する情報を携帯型プリンタに印刷することができるように構成されている。
【００５３】
次に、外部装置である中継装置と、物品保管装置（コインロッカー）のコイン回収トレイ（コインボックス）とをケーブルで接続する時の中継装置の動作の一例を図１０を参照しながら説明する。
【００５４】
中継装置で、物品保管装置（コインロッカー）のコイン回収トレイ（コインボックス）に収容されている貨幣の量を計数するモード（計数モード）が選択された場合、図１０に示したように、制御部６０６は、表示部６０４に表示画面６０４ａを表示する処理を行う。
表示画面６０４ａには、例えば、「ケーブルをコインボックス（コイン回収トレイ）に接続してください。」などが表示される。
【００５５】
外部装置である中継装置と、物品保管装置（コインロッカー）のコイン回収トレイ（コインボックス）とがケーブルで接続した場合、中継装置からコイン回収トレイの電子部品類へ電源が供給され、中継装置の制御部とコイン回収トレイの電子部品類との通信が可能な状態となる。表示画面６０４ｂには、計量センサ装置による計量の進捗状況を示すプログレスバーや、「コイン計数中  しばらくお待ちください」などの情報が表示される。キャンセルボタンが操作された場合に表示画面６０４ａに進み、計量が正常に終了した場合に表示画面６０４ｃに進む。
【００５６】
中継装置の制御部の算出部は、通信部で受信されたコイン回収トレイからの貨幣の質量情報と、予め規定された貨幣の単位重量情報に基づいて貨幣収容手段（コイン回収トレイ）に収容された貨幣の枚数を算出する。中継装置の制御部は、その貨幣の枚数を通信部を介して管理装置に送信する処理を行う。
表示画面６０４ｃには、算出部で算出された貨幣の枚数（例えば、１３７枚等）が表示されるとともに、「計量が完了しました。コインを回収してください。」、「ソレノイド引き中」、「戻るボタン」などが表示される。
【００５７】
そして、中継装置の制御部は、ソレノイド装置１５によりロック片１４の開錠動作の禁止を解除し、コイン回収トレイの物理キーが開錠可能となる。回収業者は物理キーを用いてコイン回収トレイを開錠して、収容されている硬貨などの貨幣を回収する。
表示画面６０４ｄには、例えば、「コイン回収中  ケーブルを抜かないでください」などの回収中を示す情報等が表示される。
【００５８】
また、そして、計量センサ装置による計量値が前回のゼロ値と略同じ値になった場合、表示画面６０４ｅのように、「ゼロリセット」を表示する。
詳細には、コイン回収中、例えば、コインボックス（コイン回収トレイ）が裏返った状態で、ゼロリセット（その時点での計量値をゼロ基準とする処理）されることを防止する、濡れた雑巾等を載置して不正なゼロリセットを行うとを防止する、等の理由により、制御部は、計量センサ装置による計量値が、前回のゼロ値と略同じ値になった場合（近似した場合）に、ゼロリセット処理を行う。
そして、コイン回収トレイがコインロッカー本体部に装着され、物理キーにより施錠された場合、中継装置の制御部は、ソレノイド装置１５によりロック片１４の開錠動作を禁止する。
そして、中継装置とコイン回収トレイとの間のケーブルが取り外された場合、中継装置の表示部には表示画面６０４ａが表示される。
尚、中継装置の動作は、上述した実施形態に限られるものではない。
【００５９】
次に、外部装置６０としての管理装置６１０を説明する。
図２に示したように、管理装置６１０は、通信部６１１（通信手段）、表示部６１２、入力部６１３、記憶部６１４、制御部６１５などを有する。管理装置６１０の各構成要素はバスなどの通信路を介して接続されている。
【００６０】
通信部６１１は、制御部６１５の制御により、無線式通信路や有線式通信路を介して、外部装置６０としての中継装置６００や携帯型通信端末装置６２０と通信可能に構成されている。詳細には、通信部６１１は、物品保管装置１０のコイン回収トレイから中継装置６００を介して送信された貨幣の情報を受信し、その情報を制御部６１５に出力する。
【００６１】
表示部６１２は、制御部６１５の制御により本発明に係る所定の表示を行う。
【００６２】
入力部６１３は、キーボードやタッチパネル式入力装置、マウスなどの操作入力装置であり、操作者の操作に応じた信号を制御部６１５に出力する。また、入力部６１３は、貨幣カウンタ装置を有する。貨幣カウンタ装置は、物品保管装置（コインロッカーなど）が備えるコイン回収トレイ（貨幣収容手段）から回収した貨幣の実枚数をカウントすることで、実枚数データを入力する。入力部６１３は、入力されたデータを制御部６１５に出力する。
【００６３】
記憶部６１４は、ＲＡＭ、ＲＯＭ、外部記憶装置などで構成されており、制御プログラムや各種データを記憶している。詳細には、記憶部６１４は、通信部６１１で受信した貨幣の枚数と、入力部６１３で入力された実枚数とを関連付けて物品保管装置毎に記憶する。
【００６４】
記憶部６１４は、物品保管装置毎に、コイン回収トレイ（貨幣収容手段）が収容する貨幣の許容データ又は基準データ（予め規定された貨幣収容基準量）と、回収期間とを関連付けて記憶する。
【００６５】
制御部６１５は、管理装置６１０の各構成要素を統括的に制御する。本実施形態では制御部６１５は、制御プログラムを実行することにより、本発明に係る機能をコンピュータである管理装置に実現させる。
【００６６】
また、制御部６１５は、記憶部６１４で記憶されている、通信部６１１受信した貨幣の枚数と、入力部６１３で入力された貨幣の枚数とに差があるか否かを目視容易に表示部６１２に表示させる処理を行う。
【００６７】
制御部６１５は、記憶部により記憶された、過去の物品保管装置毎の回収した貨幣の枚数と、物品保管装置毎のコイン回収トレイ（貨幣収容手段）により収容される貨幣の許容データ又は基準データと、回収期間とに基づいて、物品保管装置毎のコイン回収トレイ（貨幣収容手段）により収容された貨幣の回収を報知手段により報知する処理を行う。報知手段としては、表示部６１２や発音部（不図示）、プリンタ（不図示）などを採用することができる。
【００６８】
また、外部装置である管理装置６１０は、通信部６１１で受信したデータ、入力部６１３で入力されたデータに基づいて、例えば図１１に示したように、物品保管装置毎の貨幣の回収状況を管理している。
管理装置６１０の記憶部６１４は、図１１に示したように、物品保管装置（コインロッカー等）の番号（ボックス番号）、設置場所、年月情報、通信部６１１で受信されたデータ（コイン回収トレイの計量センサ装置による計量に基づいたデータ）、実数（カウンタなど入力部から入力された貨幣の実際の枚数）、などを関連付けて記憶している。
また、制御部６１５は、記憶部６１４で記憶されている、通信部６１１受信した貨幣の枚数と、入力部６１３で入力された貨幣の枚数との差を算出し、その差を目視容易に表示部６１２に表示させる処理を行う。
具体的には、制御部６１５は、通信部６１１受信した貨幣の枚数と、入力部６１３で入力された貨幣の枚数との差に応じた強調表示を行う。
また、制御部６１５は、上記差が基準よりも小さい場合に、強調表示を行わない処理を行うことで、上記差が基準以上のもののみを強調表示することができる。
図１１に示した例では、制御部６１５は、上記差（誤差）が２枚以内の場合に所定箇所に強調表示を行い、誤差が３枚以上の場合には、誤差が２枚以内よりも強調した表示を行う。すなわち、誤差が大きい箇所ほど強調した表示を行うことができる。
【００６９】
次に、物品保管システムの動作の一例を説明する。
図１２に示したように、ステップＳＴ１において、コインロッカーのコイン回収トレイと中継装置とをケーブルで接続する。中継装置からコイン回収トレイの電子部品類へ電源が供給される。そして、計量センサ装置による計量値が中継装置へ送信される。
【００７０】
ステップＳＴ２において、中継装置の制御部は、計量センサ装置による計量値と、単位質量情報に基づいて、コイン回収トレイに収容されている貨幣の枚数を算出し、表示部に表示する。
【００７１】
ステップＳＴ３において、中継装置の制御部は、算出された貨幣の枚数情報を管理装置へ送信する処理を行う。そして、中継装置の制御部は、コイン回収トレイを開錠可能な状態にする。回収業者などは、物理キーにより開錠して貨幣を回収する。回収された貨幣は、管理会社などにより運搬され、管理会社の管理装置に接続されたカウンタ（入力部）により実枚数が計数される。貨幣が回収された後、コイン回収トレイがコインロッカー本体部へ装着され、物理キーにより施錠された場合、中継装置の制御部は、コイン回収トレイを物理キーによる開錠を禁止した状態にする。
【００７２】
ステップＳＴ４において、管理装置は、中継装置からの貨幣の枚数と、カウンタ（入力部）により計数された実枚数とを記憶部へ記憶して管理し、それを表示部へ表示する。その際、誤差を強調表示してもよい。
【００７３】
ステップＳＴ５において、管理装置は、記憶部に記憶されている管理データに基づいて、回収指示を報知手段により報知する。詳細には、管理装置は、過去の前記物品保管装置毎の回収した貨幣の枚数と、物品保管装置毎の貨幣収容手段により収容される貨幣の許容データ又は基準データと、回収期間とに基づいて、物品保管装置毎の貨幣収容手段により収容された貨幣の回収を報知手段により報知する。
【００７４】
以上、説明したように、本発明の実施形態に係る物品保管装置に用いられる貨幣収容部２５０は、上方に略矩形状の開口部２５０ｃを備えた、貨幣を受容する箱体であり、略矩形状の開口部内側の何れか一方側端部に傾斜面２５０ｓを有する。
また、本実施形態では、物品保管装置に貨幣収容部２５０が収容された状態で、貨幣収容部２５０の傾斜面２５０ｓの上方に、投入口（コイン投入部１）に連通する連通路２０２が位置するように構成されており、投入口（コイン投入部１）から投入された貨幣が、連通路２０２を介してスムーズに貨幣収容部２５０内に収容される。詳細には、投入口（コイン投入部１）から投入された貨幣が、連通路２０２を通って傾斜面２５０ｓを経て貨幣収容部２５０内に収容されるため、貨幣収容部２５０内での貨幣の重なりを軽減することができる。
【００７５】
また、貨幣収容部２５０の傾斜面２５０ｓは、物品の保管料金である貨幣を投入する投入口側に設けられていることが好ましい。詳細には、本実施形態では、物品保管装置に貨幣収容部２５０が収容された状態で、貨幣収容部２５０の傾斜面２５０ｓの上方に、投入口（コイン投入部１）に連通する連通路２０２が位置するように構成されているので、投入口から投下される貨幣を確実に貨幣収容部２５０に収容することができ、貨幣の重なりも軽減させることができる。
【００７６】
また、本発明の実施形態に係る物品保管装置に用いられる貨幣収容部２５０は、箱体の後方側に計量部（計量センサ装置３０）を有し、箱体の前方側に外部装置６０とデータ通信を行うための制御部等の電子回路を有し、計量部（計量センサ装置３０）と電子回路との間の略中央に貨幣を収容するトレイ本体２０を有する。
すなわち、貨幣を収容するトレイ本体２０を略中央に配置したことにより、投入される貨幣を略中央に集約し、効率よく収容することができる。また、本実施形態では、貨幣収容部２５０は、内部に貨幣が偏って収容されない構造であり、計量部（計量センサ装置３０）により高精度に貨幣の計量を行うことができる。
【００７７】
また、本発明の実施形態に係る物品保管装置１０は、投入口（コイン投入部１）より投入された貨幣に応じて収納部５に収納された物品を所定の期間、保管する。この物品保管装置１０は、投入口（コイン投入部１）より投入された貨幣を載置収容する収容部２５、および投入口（コイン投入部１）より投入され収容部２５に収容された貨幣を計量する計量部（計量センサ装置３０）を備えた上記貨幣収容部２５０（貨幣収容手段）と、貨幣収容部２５０の箱体の前方側に設けられた電子回路を介して外部装置６０と通信を行う通信部（第１の通信手段であるデータ送出部３５）を有する。その通信部が、計量部（計量センサ装置３０）により計量された、貨幣収容部２５０に収容された貨幣の質量情報を外部装置６０へ送信する。
すなわち、貨幣収容手段（貨幣収容部２５０）で収容された貨幣の質量情報を、外部装置６０等が容易に取得することができる。
【００７８】
また、物品保管装置は、ロック装置１１を構成するロック片１４が施錠状態になった場合に、その開錠動作を禁止するソレノイド装置１５などの規制手段と、計量センサ装置３０の計測データを外部装置６０に送信するデータ送出部３５（通信部）と、外部から一時的に電源を物品保管装置の電気・電子回路に供給するための給電端子４１と、データ送出部３５（通信部）から外部装置６０に計測データを送信するためのデータ用端子４４と、を有する。データ送出部３５からデータ用端子４４を介して外部装置６０へ計測データが送出された場合、ソレノイド装置１５は、ロック片１４の開錠動作の禁止を解除する。
すなわち、計測データが外部装置６０へ送出されない場合、ロック装置１１のロック片１４に対して、その開錠動作をソレノイド装置（規制手段）が禁止しているので、開錠されない。また、計測データが外部装置６０へ送出された場合、ロック装置１１がロック片１４の開錠動作の禁止を解除して、開錠することができる。
このため、物品保管装置を、電源をもたない簡単な構造のコインロッカーに採用した場合、自社社員等の回収作業者やエンドユーザー担当者との連携により、貨幣抜き取り等の不正を抑止することができる。
【００７９】
また、本発明の実施形態に係る物品保管装置１０のトレイ本体２０は、面状の板材に貨幣の寸法よりも小さい複数の孔２５ｈを有する。
すなわち、貨幣収容手段（貨幣収容部２５０）の貨幣を載置収容する底部２５ａには、面状の部材に貨幣の寸法よりも小さい複数の孔２５ｈが形成されている。ゴミ等が貨幣収容部２５０に混入した場合であっても、ゴミ等が孔２５ｈから外部に排出される。貨幣収容部２５０をコインロッカーから引き出せなくなる可能性を低減することができる。
【００８０】
また、本発明の実施形態に係る物品保管システムは、物品保管装置１０と、物品保管装置１０と通信路９１（９０）を介して接続される外部装置６０と、を有する。
外部装置６０（中継装置６００）は、物品保管装置１０の通信部から送信された貨幣の質量情報を受信する受信手段（第２の通信部である通信部６０１）と、受信手段（通信部６０１）で受信した貨幣の質量情報と、予め規定された貨幣の単位重量情報に基づいて、貨幣収容手段（貨幣収容部２５０）に収容された貨幣の枚数を算出する算出手段（算出部６０７）と、算出手段（算出部６０７）により算出された貨幣の枚数を表示する表示手段（表示部６０４）を有する。中継装置６００は、算出された貨幣の枚数を、通信部を介して管理装置６１０へ送信する。
すなわち、中継装置６００は、物品保管装置１０からの貨幣の質量情報と、予め規定された貨幣の単位重量情報とに基づいて算出された貨幣の枚数を表示部６１２に、容易に表示することができる。
また、管理装置６１０では、中継装置６００で算出された貨幣の枚数を通信部を介して受信するので、例えば、貨幣を回収する回収業者（自社社員等）の担当者による不正を抑止することができる。
【００８１】
また、本発明の実施形態に係る物品保管システムにおいて、外部装置である管理装置６１０は、物品保管装置１０が備える貨幣収容手段（貨幣収容部２５０）から回収した貨幣の実枚数を入力する入力手段（入力部６１３）と、受信手段（通信部６１１）で受信した貨幣の枚数と、入力手段（入力部６１３）で入力された実枚数とを、物品保管装置１０毎に記憶する記憶手段（記憶部６１４）と、記憶手段（記憶部６１４）により記憶されている、受信手段（通信部６１１）により受信した貨幣の枚数と、入力部６１３により入力された貨幣の枚数とに差があるか否かを目視容易に表示する表示手段（表示部６１２）と、を有することができる。
すなわち、外部装置６０である管理装置６１０は、物品保管装置１０（コインロッカー）内に収容されていた貨幣の枚数と、回収された貨幣の枚数を把握することができる。
また、物品保管装置に収容されていた貨幣の枚数（量）と、回収された貨幣の枚数（量）との間に差がある場合であっても、外部装置６０である管理装置６１０（サーバ）の表示部６１２に貨幣の枚数の差が分かるように表示するので、管理者などは、物品保管装置毎の貨幣の枚数の差を把握することができ、税務上、会計上、透明な状態とすることができる。管理者などは、例えば、回収業者（自社社員等）の担当者などによる不正を、容易に把握することができる。
【００８２】
また、本発明の実施形態に係る物品保管システムにおいて、外部装置６０（６１０）の記憶手段（記憶部６１４）は、物品保管装置毎に、貨幣収容手段（貨幣収容部２５０）が収容する貨幣の許容データ又は基準データと回収期間とを更に記憶する。
外部装置６０である管理装置６１０は、記憶手段（記憶部６１４）により記憶された、過去の物品保管装置毎の回収した貨幣の枚数と、物品保管装置毎の貨幣収容手段（貨幣収容部２５０）により収容される貨幣の許容データ又は基準データと、回収期間とに基づいて、物品保管装置毎の貨幣収容手段（貨幣収容部２５０）により収容された貨幣の回収を報知する報知手段を有する。報知手段としては、例えば、上記回収に関する報知を表示する管理装置６１０の表示部６１２や、管理装置６１０の発音手段（不図示）であってもよい。また、管理装置６１０の報知手段は、例えば、回収業者（自社社員等）の担当者により使用される携帯型通信端末装置６２０に、上記回収に関する報知を送信してもよい。携帯型通信端末装置６２０は、内蔵されている表示部や発音部により、上記回収に関する報知を行ってもよい。
すなわち、外部装置６０である管理装置６１０は、回収業者（自社社員等）の担当者の経験や勘に頼ることなく、適切なタイミングで上記回収に関する報知を行うことができる。回収業者（自社社員等）は、その報知に基づいて、実際に、物品保管装置１０の貨幣収容手段（貨幣収容部２５０）に収容された貨幣を、適切なタイミングで回収することができる。
【００８３】
尚、外部装置は、上述した実施形態に限られるものではない。外部装置は、例えば、可搬型の携帯端末装置であってもよいし、ネットワークを介して通信可能に接続する管理装置であってもよい。
【００８４】
また、コインロッカーは上述した実施形態に限られるものではなく、例えば、コインロッカーは通信装置を備え、物品保管装置に貨幣収容手段で収容されている貨幣の質量情報を、定期的、又は不定期に外部装置としての管理装置等に送信するようにしてもよい。本実施例のコインロッカーの通信装置には、コインロッカー本体部の外部から電源が供給される。この外部電源としては、例えば、バッテリー、コインロッカーを設置している施設内の電源などを利用する。
【００８５】
また、コインロッカーは通信装置を備え、通信装置を介してコインロッカーの使用状況（例えば、予め規定された連続使用期間を超過しているロッカー番号、空き状況情報などのロッカー情報）を管理装置に送信してもよい。管理装置は、受信した情報を基に、規定の期間が超過しているロッカー番号や、空き状況などを容易に把握することができる。
【００８６】
また、管理装置が、ユーザのパソコンや、ユーザの携帯端末（スマートホンなど）に、コインロッカーの空き状況などの情報を提供することで、コインロッカーの利便を促進させることができ、利便性が増す。
【００８７】
また、コインロッカーの使用状況情報に基づき、予約の仕組みも可能となる。また、通信装置を有するコインロッカーを、宅配ボックスの代わりや、洗濯物の授受などにも応用することができる。
【００８８】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００８９】
尚、上述したように、本実施形態では、物品保管装置は、貨幣の投入口と貨幣収容部２５０の傾斜面までの間に連通路を有し、連通路の終端部は、投入された貨幣が傾斜面に沿って投入される形状となっており、簡単な構造で、貨幣収容部２５０内での貨幣の重なりを軽減することができる。
【符号の説明】
【００９０】
１…コイン投入部（投入口）
２…開閉扉
３…回収トレイ
４…鍵穴
５…収納部
１０…物品保管装置
１１…ロック装置
１４…ロック片
１５…ソレノイド装置
２０…トレイ本体
２５…収容部
２５ａ…底部
２５ｈ…孔
３０…計量センサ装置（計量部）
３５…データ送出部（通信部）
４１…給電端子
４４…データ用端子
６０…外部装置
６１…本体部
６２…バッテリ
９０、９１…通信路
２５０…貨幣収容部（貨幣収容手段）
２５０ｃ…開口部
２５０ｓ…傾斜面
６００…中継装置（外部装置）
６０１…通信部
６０５…記憶部
６０６…制御部
６１０…管理装置（外部装置）
６１１…通信部
６１５…制御部
６２０…携帯型通信端末装置（外部装置）
Ｋ…本体ケース
【図１】
2017199274.tif 000003
【図２】
2017199274.tif 000004
【図３】
2017199274.tif 000005
【図４】
2017199274.tif 000006
【図５】
2017199274.tif 000007
【図６】
2017199274.tif 000008
【図７】
2017199274.tif 000009
【図８】
2017199274.tif 000010
【図９】
2017199274.tif 000011
【図１０】
2017199274.tif 000012
【図１１】
2017199274.tif 000013
【図１２】
2017199274.tif 000014